(57)【要約】      （修正有）【課題】筐体に樹脂製の電源ボックス本体が固定され、電源ボックス本体の破損を防止するとともに、その取付作業の効率化を図ることが可能な遊技機の提供。【解決手段】スロットマシンは、前方側に開口部を有する筐体と、筐体に回動自在に取り付けられて開口部を開閉可能に閉塞する前扉と、筐体内に配設されねじにより筐体の左側板の内側面に近接して固定される、内部に回路基板を収納した樹脂製の電源ボックス本体１０と、該本体１０の外側面１２ａ，１２ｂに形成された凹部１４ａ，１４ｂ，１４ｃと、凹部１４ａ，１４ｂ，１４ｃの左壁面１４ａ３，１４ｂ３，１４ｃ３に形成されたねじ挿通用の挿通孔１５ａ，１５ｂ，１５ｃとを備え、挿通孔１５ａ，１５ｂ，１５ｃが、凹部１４ａ，１４ｂ，１４ｃの左壁面１４ａ３，１４ｂ３，１４ｃ３の中心から後方側にずれて配置されている。【選択図】図２
2015093152.tif 000002
【特許請求の範囲】
【請求項１】
前方側に開口部を有する筐体と、
前記筐体に回動自在に取り付けられ前記開口部を開閉可能に閉塞する前扉と、
前記筐体内に配設され固定具により前記筐体の側壁に近接して固定される、内部に電源回路を収納した樹脂製の電源ボックス本体と、
前記本体の外側面に形成された凹部と、
前記凹部の所定の壁面に形成された前記固定具の挿通用の挿通孔とを備え、
前記挿通孔が、前記凹部の前記所定の壁面の中心からずれて配置されていることを特徴とする遊技機。
【請求項２】
前記本体は、前記筐体の左右いずれかの側壁の内側に固定され、
前記挿通孔が、前記凹部の前記所定の壁面の中心から後方側にずれて配置されていることを特徴とする請求項１に記載の遊技機。
【発明の詳細な説明】
【技術分野】
【０００１】
本発明は、筐体内部に配設される各種装置に対して駆動電圧を供給するための電源回路を内部に収納した電源ボックスを備える遊技機に関する。
【背景技術】
【０００２】
従来より、筐体内部に配設される各種装置に対して駆動電圧を供給するための電源回路を内部に収納した電源ボックスを備える遊技機が知られている。例えば、特許文献１に記載の遊技機は、パチンコホール等に設置されるスロットマシンであり、前方側が開放された筐体の内部に、周知のリール装置、制御基板、ホッパー装置等の各種装置や電源ボックスが配設される。また、これらの各種装置と電源ボックスとは、コネクタやハーネスを介して接続されており、これにより、電源ボックスの内部に収納された電源回路が生成する電圧が、各種装置の駆動電圧として供給される。
【先行技術文献】
【特許文献】
【０００３】
【特許文献１】特開２０１１−６２３５５号公報（段落００４３〜００４５、図２等参照）
【発明の概要】
【発明が解決しようとする課題】
【０００４】
ここで、上記した電源ボックスは、そのボックス本体の外面から突出形成されたフランジ状の突出片が設けられるとともに、該突出片にねじ固定用の孔が透設されている。そして、前記突出片を筐体の所定の内壁に当接するように電源ボックスを筐体の内部に配設し、この状態で電源ボックスの突出片で、電源ボックスが筐体内部の所定位置にねじにより固定される。
【０００５】
ところで、軽量化を図るために電源ボックスを樹脂で形成したいという要望がある。しかしながら、上記したボックス本体にフランジ状の突出片を設けて筐体内部に固定する従来の電源ボックスの構成では、筐体内部に固定された状態で電源ボックスに振動などの衝撃が加わると、その時の応力がボックス本体と突出片との境界に集中するため、電源ボックスが破損するおそれがあった。また、電源ボックスの筐体内部への取付作業の効率化を図りたいという要望もあり、これらの要望を満たす電源ボックスが求められている。
【０００６】
本発明は、上記課題に鑑みてなされたものであり、筐体に樹脂製の電源ボックス本体が固定される遊技機において、電源ボックス本体の破損を防止するとともに、その取付作業の効率化を図ることを目的とする。
【課題を解決するための手段】
【０００７】
上記目的を達成するために、本発明にかかる電源ボックスは前方側に開口部を有する筐体と、前記筐体に回動自在に取り付けられ前記開口部を開閉可能に閉塞する前扉と、前記筐体内に配設され固定具により前記筐体の側壁に近接して固定される、内部に電源回路を収納した樹脂製の電源ボックス本体と、前記本体の外側面に形成された凹部と、前記凹部の所定の壁面に形成された前記固定具の挿通用の挿通孔とを備え、前記挿通孔が、前記凹部の前記所定の壁面の中心からずれて配置されていることを特徴としている（請求項１）。
【０００８】
また、記本体は、前記筐体の左右いずれかの側壁の内側に固定され、前記挿通孔が、前記凹部の前記所定の壁面の中心から後方側にずれて配置されていることを特徴としている（請求項２）。
【発明の効果】
【０００９】
請求項１に係る発明によれば、樹脂製の電源ボックスの電源ボックス本体の外側面に凹部が形成され、該凹部の所定の壁面に固定具の挿通用の挿通孔が形成される。そして、この電源ボックスの凹部の所定の壁面に形成された挿通孔に固定具を挿通させることで、電源ボックスが遊技機の筐体の側壁に近接して固定される。すなわち、電源ボックスを遊技機の筐体に固定するための挿通孔が、従来の電源ボックスのように、ボックス本体の外側面に突出形成されたフランジ状の突出片に設けられずに、電源ボックス本体における内側に窪んだ凹部の壁面に形成される。したがって、電源ボックスが筐体に固定された状態で外部から振動などの応力が働いた際に、その応力が凹部内で分散するため、電源ボックスを樹脂で形成して筐体に固定しても、電源ボックスが破損するのを防止することができる。
【００１０】
また、固定具の挿通用の挿通孔が、前記凹部の所定の壁面の中心からずれて配置される。例えば、挿通孔を凹部の所定の壁面の中心に配置した構成では、当該挿通孔に固定具を挿通する際、凹部の壁面が邪魔になって電源ボックスの取付作業の効率が悪くなる場合がある。そこで、固定具を挿通孔に挿入するためのスペースを確保することができるように、挿入孔を凹部の所定の壁面の中心から所望の方向にずらして配置することで、電源ボックスを筐体に固定する際の取付作業の効率化を図ることができる。
【００１１】
請求項２に係る発明によれば、電源ボックスが、遊技機の筐体の左右いずれかの側壁の内側に固定され、電源ボックス本体に形成された挿通孔が、凹部の所定の壁面の中心から後方側にずれて配置される。前方側に開口部を有する筐体の左右いずれかの側壁の内側に電源ボックスを固定する場合、固定具を筐体の前方側から電源ボックス本体の挿通孔に挿入して電源ボックスを固定することになる。そのため、挿通孔を凹部の所定の壁面の中心から後方側にずらして配置することで、挿通孔を凹部の所定の壁面の中心に配置する場合と比較して、挿入孔の前方側に広いスペースを確保することができるため、電源ボックスの取付作業の効率化を図ることができる。
【図面の簡単な説明】
【００１２】
【図１】本発明に係るスロットマシンの前扉を開放した状態の斜視図である。
【図２】図１の電源ボックスの斜視図である。
【図３】図１の電源ボックスの分解斜視図である。
【図４】図１の電源ボックス本体のベース体の斜視図である。
【図５】図１の電源ボックス本体の右側面図である。
【図６】図１の電源ボックス本体の左側面図である。
【発明を実施するための形態】
【００１３】
本発明の一実施形態にかかる遊技機の一例であるスロットマシン１について、図１〜図６を参照して説明する。なお、図１はスロットマシン１の前扉を開放した状態の斜視図、図２は図１の電源ボックス９の斜視図、図３は図１の電源ボックス９の分解斜視図、図４は、図１の電源ボックス本体１０のベース体１２の開口側から見たときの斜視図、図５は図１の電源ボックス本体１０の右側面図、図６は図１の電源ボックス本体１０の左側面図である。
【００１４】
（全体構成）
スロットマシン１は、図１に示すように、上方に配置された天板２ａと、下方に配置された底板２ｂと、左側に配置された左側板２ｃ、右側に配置された右側板２ｄと、背面側に配置された背板２ｅとで構成され、前方側が開口部を有する四角箱型の筐体２を備え、この筐体２の開口部を開閉可能に閉塞する前扉３が、筐体２に回動自在に取り付けられている。
【００１５】
また、筐体２の内部には、３つのリールである右リール４Ｒ、中リール４Ｍ、左リール４Ｌが並設されてなるリール装置４、遊技者により外部から投入されたメダルをスロットマシン１の内部に貯留するとともに、貯留したメダルをメダル受け皿６に払い出すためのホッパー装置５が配設されている。
【００１６】
また、筐体２の左側板２ｃの内側面の上部には、その内部に制御基板７が収納された制御基板ケース８が固定される。この制御基板７は、スロットマシン１の制御を司るものであり、具体的には、リール装置４に対する各リール４Ｒ，４Ｍ，４Ｌの回転・停止の指示や、ホッパー装置５に対するメダルの払い出しの開始・停止の指示を行うのに加え、音声出力装置（図示せず）や映像表示装置（図示せず）等、スロットマシン１の遊技の進行に必要な各種装置の制御を行う。
【００１７】
また、筐体２の左側板２ｃの内側面の下部には、その内部に電源回路を収納した電源ボックス９が固定されている。この電源ボックス９は、リール装置４、ホッパー装置５などの各種装置や制御基板７に駆動電圧を供給する。なお、電源ボックス９については後で詳述する。
【００１８】
前扉３の略中央には、図柄表示窓３ａが設けられており、各リール４Ｒ，４Ｍ，４Ｌの周面に付されている図柄の一部を表示可能に形成されている。
【００１９】
（電源ボックス）
電源ボックス９は、図２に示すように、内部に電源回路を収納するための収納空間（図４に示す電源ボックス本体１０のベース体１２参照）が形成された電源ボックス本体１０と、電源ボックス本体１０の内部に収納される回路基板１１（図３参照）とを備える。このとき、回路基板１１には、各種電子部品等が実装されて電源回路が形成される。
【００２０】
電源ボックス本体１０は、図３および図４に示すように、左側が開放された箱状のベース体１２と、ベース体１２の開放された左側を閉塞する略板状のカバー体１３とで構成され、ベース体１２にカバー体１３を装着することで、その内部に回路基板１１を収納する収納空間が形成される。そして、その内部に回路基板１１を収納した状態で筐体２の左側板２（図１参照）の内面に固定される。
【００２１】
この電源ボックス本体１０について具体的に説明すると、図３に示すように、ベース体１２の上側の外側面１２ａの略中央には、前壁面１４ａ１、後壁面１４ａ２、左壁面１４ａ３および底壁１４ａ４で構成された凹部１４ａが形成される。ここで、ベース体１２における凹部１４ａの左壁面１４ａ３の形成部分は板状をなし、該左壁面１４ａ３が右側面視で台形状に形成されている（図５参照）。このとき、それぞれ左壁面１４ａ３と垂直な方向に配置された前壁面１４ａ１、後壁面１４ａ２、底壁１４ａ４が、左壁面１４ａ３の上側の底辺を除く各辺に連接するように凹部１４ａが形成されている。また、左壁面１４ａ３には、電源ボックス本体１０を筐体２に固定するねじ（本発明の「固定具」に相当）の挿通用の挿通孔１５ａが透設される。
【００２２】
また、上側の外側面１２ａの前方部には、回路基板１１に実装されたコネクタ１１ａを嵌入させるための上面視で矩形状の嵌入孔１６が形成される。
【００２３】
ベース体１２の前側の外側面１２ｂの上部には、上壁面１４ｂ１、下壁面１４ｂ２、左壁面１４ｂ３および後壁面１４ｂ４で構成された凹部１４ｂが形成される。ここで、ベース体１２における凹部１４ｂの左壁面１４ｂ３の形成部分は板状をなし、該左壁面１４ｂ３が右側面視で台形状に形成されている（図５参照）。このとき、それぞれ左壁面１４ｂ３と垂直な方向に配置された上壁面１４ｂ１、下壁面１４ｂ２、後壁面１４ｂ４が、左壁面１４ｂ３の前側の底辺を除く各辺に連接するように凹部１４ｂが形成されている。また、左壁面１４ｂ３には、電源ボックス本体１を筐体２に固定するねじの挿通用の挿通孔１５ｂが透設される。
【００２４】
ベース体１２の前側の外側面１２ｂの下部には、上部に形成された凹部１４ｂと同様に、上壁面１４ｃ１、下壁面１４ｃ２、左壁面１４ｃ３および後壁面１４ｃ４で構成された凹部１４ｃが形成されるとともに、凹部１４ｃの左壁面１４ｃ３に挿通孔１５ｃが透設される。また、ベース体１２の前側の外側面１２ｂに形成された両凹部１４ｂ，１４ｃの間であって、下部側の凹部１４ｃ寄りの位置に、開閉可能な蓋体２５が取り付けられている。この蓋体１６の内側には、電源をＯＮ／ＯＦＦするためのスイッチ（図示せず）が配設されている。なお、各凹部１４ａ〜１４ｃの左壁面１４ａ３〜１４ｃ３それぞれが、本発明における「所定の壁面」に相当する。
【００２５】
ここで、ベース体１２の上側の外側面１２ａの凹部１４ａの左壁面１４ａ３に形成された挿通孔１５ａは、図５に示すように、当該左壁面１４ａ３の中心から後方側にずれて配置される。したがって、挿通孔１５ａにねじを挿通して電源ボックス９を筐体２に固定する際、凹部１４ａ内における挿通孔１５ａの前方側に、ねじ固定に用いられるドライバなどの工具を配設するスペースが生まれて、電源ボックス９の筐体２への固定作業を円滑に行うことが可能になる。また、ベース体１２の前側の外側面１２ｂの上下に形成された両凹部１４ｂ，１４ｃにおいても同様に、挿通孔１５ｂ，１５ｃが左壁面１４ｂ３，１４ｃ３の中心から若干後方側にずれて配置されている。なお、ベース体１２の前側の外側面１２ｂに形成された両凹部１４ｂ，１４ｃそれぞれは、前方側が開放されているため、両凹部１４ｂ，１４ｃに形成された挿通孔１５ｂ，１５ｃについては、必ずしも左壁面１４ｂ３，１４ｃ３の中心から後方側にずらさなくてもかまわない。
【００２６】
回路基板１１には、電源回路を形成するための各種電子部品（図示せず）が実装されるとともに、コネクタ１１ａが実装される。スロットマシン１が備えるリール装置４やホッパー装置５などの各種装置の電源部は、ハーネスを介してコネクタ１１ａと接続されており、これにより、各種装置に駆動電圧が供給される。また、回路基板１１には固定用の複数の孔１１ｂが設けられ、ねじ等によりベース体１２に固定される。また、コネクタ１１ａには、その外側面を囲むように、矩形リング状のパッキン１１ｃが装着されており、電源ボックス本体１０に回路基板１１を収納した際、ベース体１２の嵌入孔１６とコネクタ１１ａとの隙間から粉塵等が本体１０の内部に流入するのを防止することができるように構成されている。
【００２７】
カバー体１３は、図３に示すように、略板状に形成され、その周縁のベース体１２の各凹部１４ａ，１４ｂ，１４ｃそれぞれの左壁面１４ａ３，１４ｂ３，１４ｃ３の形成部分に対応する位置に、切欠部１７ａ，１７ｂ，１７ｃが形成されている。これらの切欠部１７ａ，１７ｂ，１７ｃは、対応する凹部１４ａ，１４ｂ，１４ｃの左壁面１４ａ３，１４ｂ３，１４ｃ３の形状に合わせた形状に形成されている。また、カバー体１３をベース体１２に固定するための複数のねじ孔１９が設けられ、さらに、カバー体１３の内側面には、コネクタ１１ａに装着されたパッキン１１ｃの位置決め／固定用の係止部２１が形成される。
【００２８】
このように構成されたベース体１２およびカバー体１３では、図６に示すように、カバー体１３をベース体１２に装着したときに、対応するベース体１２の前記左壁面１４ａ３，１４ｂ３，１４ｃ３の形成部分とカバー体１３の切欠部１７ａ，１７ｂ，１７ｃ同士が嵌合し、この状態でねじ２０により、カバー体１３がベース体１２に固定される。なお、ベース体１２の上側の外側面１２ａに形成された凹部１４ａの左壁面１４ａ３（図３参照）の裏側面、および、ベース体１２の前側の外側面１２ｂの上部に形成された凹部１４ｂの左壁面１４ｂ３（図３参照）の裏側面それぞれには、リブ１８ａ，１８ｂが形成されて補強されている。
【００２９】
次に、電源ボックス９の筐体２への取付（固定）について説明すると、この電源ボックス９は、図１に示すように、筐体２の左側板２ｃの内側面に近接して固定される。具体的には、図６に示す電源ボックス本体１０の左側面が、筐体２の左側板２ｃの内側面に当接するように配置され、ベース体１２の各凹部１４ａ，１４ｂ，１４ｃ（図３参照）に形成された挿通孔１５ａ，１５ｂ，１５ｃにねじを挿通させることにより、電源ボックス９が筐体２に固定される。
【００３０】
したがって、上記した実施形態によれば、樹脂製の電源ボックス９の電源ボックス本体１０の外側面１２ａ，１２ｂに複数の凹部１４ａ，１４ｂ，１４ｃが形成され、これらの凹部１４ａ，１４ｂ，１４ｃの左壁面１４ａ３，１４ｂ３，１４ｃ３にねじ挿通用の挿通孔１５ａ，１５ｂ，１５ｃがそれぞれ形成される。換言すれば、電源ボックス９をスロットマシン１の筐体２に固定するための挿通孔１５ａ，１５ｂ，１５ｃが、従来の電源ボックスのように、ボックス本体の外側面に突出形成されたフランジ状の突出片に設けられずに、電源ボックス本体１０における内側に窪んだ各凹部１４ａ，１４ｂ，１４ｃそれぞれの左壁面１４ａ３，１４ｂ３，１４ｃ３に形成される。そして、これらの左壁面１４ａ３，１４ｂ３，１４ｃ３に形成された挿通孔１５ａ，１５ｂ，１５ｃにねじを挿通させることで、電源ボック９スがスロットマシン１の筐体２の左側板２ｃに近接して固定される。したがって、電源ボックス９が筐体２に固定された状態で、外部から振動などの応力が働いた際に、その応力が各凹部１４ａ，１４ｂ，１４ｃ内で分散するため、電源ボックス本体１０を樹脂で形成して筐体２に固定しても、電源ボックス本体１０が破損するのを防止することができる。
【００３１】
ところで、前方側に開口部を有する筐体２の左側板２ｃの内側面に電源ボックス９をねじで固定する場合、ドライバなどの工具を使用し、筐体２の前方側から電源ボックス本体１０の挿通孔１５ａ，１５ｂ，１５ｃにねじを挿入して電源ボックス９を固定することになる。ここで、例えば、ベース体１２の上側の外側面１２ａの凹部１４ａに形成された挿通孔１５ａを、凹部１４ａの左壁面１４ａ３の中心に配置すると、当該挿通孔１５ａにねじを挿入する際に、凹部１４ａの各壁面１４ａ１〜１４ａ４が邪魔になって電源ボックス９の取付作業の効率が悪くなる場合がある。しかしながら、この実施形態では、ねじ挿通用の各挿通孔１５ａ，１５ｂ，１５ｃそれぞれが、各凹部１４ａ，１４ｂ，１４ｃの左壁面１４ａ３，１４ｂ３，１４ｃ３の中心から後方側にずれて配置されるため、各凹部１４ａ，１４ｂ，１４ｃそれぞれで、挿通孔１５ａ，１５ｂ，１５ｃの前方側に、挿通孔１５ａ，１５ｂ，１５ｃをずらした分のスペースが生まれる。そうすると、各凹部１４ａ，１４ｂ，１４ｃ内において、ドライバなどの工具の可動範囲が広がるため、電源ボックス９の筐体２への固定作業を円滑に行うことができ、これにより、電源ボックス９を筐体２に固定する際の取付作業の効率化を図ることができる。
【００３２】
なお、本発明は上記した実施形態に限定されるものではなく、その趣旨を逸脱しない限りにおいて、上記したもの以外に種々の変更を行うことが可能であり、例えば、上記した実施形態では、挿通孔１５ａ，１５ｂ，１５ｃが形成される各凹部１４ａ，１４ｂ，１４ｃの左壁面１４ａ３，１４ｂ３，１４ｃ３それぞれの右側面視の形状が、台形状である場合について説明したが、例えば、矩形状、多角形状、半円状など、種々の形状に、適宜、変更してもよい。
【００３３】
また、電源ボックス９を、筐体２の右側板２ｄの内側面に固定してもかまわない。
【００３４】
また、本発明は、スロットマシン１に限らず、筐体内部に電源ボックスが固定される種々の遊技機に適用することができる。
【符号の説明】
【００３５】
１…スロットマシン（遊技機）、２…筐体、３…前扉、１０…電源ボックス本体、１４ａ〜１４ｃ…凹部、１４ａ３，１４ｂ３，１４ｃ３…左壁面（所定の壁面）、１５ａ，１５ｂ，１５ｃ…挿通孔
【図１】
2015093152.tif 000003
【図２】
2015093152.tif 000004
【図３】
2015093152.tif 000005
【図４】
2015093152.tif 000006
【図５】
2015093152.tif 000007
【図６】
2015093152.tif 000008
【手続補正書】
【提出日】平成27年2月17日(2015.2.17)
【手続補正１】
【補正対象書類名】明細書
【補正対象項目名】０００７
【補正方法】変更
【補正の内容】
【０００７】
上記目的を達成するために、本発明にかかる電源ボックスは前方側に開口部を有する筐体と、前記筐体に回動自在に取り付けられ前記開口部を開閉可能に閉塞する前扉と、内部に電源回路を収納し、固定具により前記筐体の内側面に当接した状態で固定される樹脂製の電源ボックス本体と、前記本体の外側面に形成された凹部と、前記凹部に形成された前記固定具の挿通用の挿通孔とを備え、前記凹部は、前記本体の前記筐体の前記内側面に当接する面側に位置し、前記凹部の内壁面を構成する板状部を有し、前記挿通孔は、前記板状部に該板状部の中心からずれて配置されていることを特徴としている（請求項１）。
【手続補正２】
【補正対象書類名】明細書
【補正対象項目名】０００８
【補正方法】変更
【補正の内容】
【０００８】
また、記本体は、前記筐体の左右いずれかの側壁の内側に固定され、前記挿通孔が、前記板状部の中心から後方側にずれて配置されていることを特徴としている（請求項２）。  
【手続補正３】
【補正対象書類名】明細書
【補正対象項目名】０００９
【補正方法】変更
【補正の内容】
【０００９】
請求項１に係る発明によれば、樹脂製の電源ボックスの電源ボックス本体の外側面に凹部が形成され、該凹部に固定具の挿通用の挿通孔が形成される。この挿通孔は、電源ボックス本体における筐体の内側面に当接する面側に位置し、凹部の内壁面を構成する板状部に配置される。そして、この電源ボックスの凹部の板状部に配置された挿通孔に固定具を挿通させることで、電源ボックスが遊技機の筐体の内側面に当接した状態で固定される。すなわち、電源ボックスを遊技機の筐体に固定するための挿通孔が、従来の電源ボックスのように、ボックス本体の外側面に突出形成されたフランジ状の突出片に設けられずに、電源ボックス本体における内側に窪んだ凹部の壁面に形成される。したがって、電源ボックスが筐体に固定された状態で外部から振動などの応力が働いた際に、その応力が凹部内で分散するため、電源ボックスを樹脂で形成して筐体に固定しても、電源ボックスが破損するのを防止することができる。
【手続補正４】
【補正対象書類名】明細書
【補正対象項目名】００１０
【補正方法】変更
【補正の内容】
【００１０】
また、固定具の挿通用の挿通孔が、前記凹部の板状部の中心からずれて配置される。例えば、挿通孔を凹部の板状部の中心に配置した構成では、当該挿通孔に固定具を挿通する際、凹部の壁面が邪魔になって電源ボックスの取付作業の効率が悪くなる場合がある。そこで、固定具を挿通孔に挿入するためのスペースを確保することができるように、挿入孔を凹部の板状部の中心から所望の方向にずらして配置することで、電源ボックスを筐体に固定する際の取付作業の効率化を図ることができる。
【手続補正５】
【補正対象書類名】明細書
【補正対象項目名】００１１
【補正方法】変更
【補正の内容】
【００１１】
請求項２に係る発明によれば、電源ボックスが、遊技機の筐体の左右いずれかの側壁の内側に固定され、電源ボックス本体に形成された挿通孔が、凹部の板状部の中心から後方側にずれて配置される。前方側に開口部を有する筐体の左右いずれかの側壁の内側に電源ボックスを固定する場合、固定具を筐体の前方側から電源ボックス本体の挿通孔に挿入して電源ボックスを固定することになる。そのため、挿通孔を凹部の板状部の中心から後方側にずらして配置することで、挿通孔を凹部の板状部の中心に配置する場合と比較して、挿入孔の前方側に広いスペースを確保することができるため、電源ボックスの取付作業の効率化を図ることができる。
【手続補正６】
【補正対象書類名】特許請求の範囲
【補正対象項目名】全文
【補正方法】変更
【補正の内容】
【特許請求の範囲】
【請求項１】
前方側に開口部を有する筐体と、
前記筐体に回動自在に取り付けられ前記開口部を開閉可能に閉塞する前扉と、
内部に電源回路を収納し、固定具により前記筐体の内側面に当接した状態で固定される樹脂製の電源ボックス本体と、
前記本体の外側面に形成された凹部と、
前記凹部に形成された前記固定具の挿通用の挿通孔とを備え、
前記凹部は、前記本体の前記筐体の前記内側面に当接する面側に位置し、前記凹部の内壁面を構成する板状部を有し、
前記挿通孔は、前記板状部に該板状部の中心からずれて配置されていることを特徴とする遊技機。
【請求項２】
前記本体は、前記筐体の左右いずれかの側壁の内側に固定され、
前記挿通孔が、前記板状部の中心から後方側にずれて配置されていることを特徴とする請求項１に記載の遊技機。